(57)【特許請求の範囲】
【請求項１】
トラクタ（Ｔ）のカプラ（Ｃ）に連結されたトレーラ（１）の電磁式リターダの搭載構造において、トレーラ（１）のトレーラフレーム（２）の後方には内部にディファンレシャルギヤ（７）を有する車軸（５）が懸架装置によって支持されており、その車軸（５）のアクスルハウジング（５ｈ）には後方に延在する一対の支持部材（９）が取付けられ、その一対の支持部材（９）にはステータ（１１）とロータ（１２）とを有する電磁式リターダが一対のブラケット（１９）で支持されており、前記ディファレンシャルギヤ（７）のドライブピニオン（７ｐ）には前記ロータ（１２）に接続されたドライブシャフト（２０）が固着され、前記トレーラ（１）にはバッテリ（３０）とコントロールユニット（４０）とが搭載され、そのバッテリ（３０）は前記コントロールユニット（４０）のリレーを介して前記電磁式リターダ（１０）の励磁コイルに接続され、前記リレーの断続を行うハンドコントローラ（５０）が運転席に設けられていることを特徴とする電磁式リターダの搭載構造。
【発明の詳細な説明】
【技術分野】
【０００１】
本発明は、電磁式リターダを搭載した車両、詳細にはその車両の電磁式リターダの搭載構造に関するものである。
【背景技術】
【０００２】
電磁式リターダは、車両の駆動系、或いは車両の走行による回転部分である例えば、車軸の回転部分等に直接介装され、電磁式リターダの回転による渦電流の発生時の電磁力によって当該車両の補助的な制動を担うように構成されている。
【０００３】
そのような電磁式リターダ１０は、図６に示すように、トラクタＴのトランスミッション６０の後端とプロペラシャフト６２の間に介装されたり、或いは、図７に示すように、トレーラ１００の車体１２０の中央下部に取付けられ、例えばトラック用後車軸を用いたトレーラ車軸５Ｊの回転力をプロペラシャフト６２を介して電磁式リターダ１０に接続し、電磁式リターダの回転による渦電流の発生時の電磁力によって制動力を得るように構成されている。（後者については、例えば、特許文献１参照）。
【０００４】
或いは、トラクタや、自走手段を有する一般的な車両（単車）では後車軸直前に後車軸に直接当該リターダが配置されている例もある。
【０００５】
然るに、上述したように、自走手段を有する単車においては、前車軸と後車軸の間の領域に当該リターダを配置させることは、前車軸による石撥ねの直撃を受けやすい。そうした石撥ねの被害を防止するために、カバーなどの設置が考えられるが、リターダ作動時には膨大な熱の放散が不可避であり、必ずしも得策ではない。トレーラの例においても、トラクタ側の後輪による石撥ねの問題が当然考えられる。
【特許文献１】実開平６−２１３０３号公報
【発明の開示】
【発明が解決しようとする課題】
【０００６】
本発明は上述した従来技術の問題点に鑑みて提案されたものであり、石撥ねの直撃を防止するとともに、電磁式リターダの冷却性能を確保出来る電磁式リターダの搭載構造の提供を目的としている。
【課題を解決するための手段】
【０００７】
本発明によれば、トラクタ（Ｔ）のカプラ（Ｃ）に連結されたトレーラ（１）の電磁式リターダの搭載構造において、トレーラ（１）のトレーラフレーム（２）の後方には内部にディファンレシャルギヤ（７）を有する車軸（５）が懸架装置によって支持されており、その車軸（５）のアクスルハウジング（５ｈ）には後方に延在する一対の支持部材（９）が取付けられ、その一対の支持部材（９）にはステータ（１１）とロータ（１２）とを有する電磁式リターダが一対のブラケット（１９）で支持されており、前記ディファレンシャルギヤ（７）のドライブピニオン（７ｐ）には前記ロータ（１２）に接続されたドライブシャフト（２０）が固着され、前記トレーラ（１）にはバッテリ（３０）とコントロールユニット（４０）とが搭載され、そのバッテリ（３９）は前記コントロールユニット（４０）のリレーを介して前記電磁式リターダ（１０）の励磁コイルに接続され、前記リレーの断続を行うハンドコントローラ（５０）が運転席に設けられている。
【００１２】
前記回転伝達手段（７）は、電磁式リターダ（１０）の前後方向の前方へ向う投影面積をカバーするように配置されている（請求項６）。
【発明の効果】
【００１３】
上述する構成を具備する本発明の電磁式リターダの搭載構造（１、Ｔ、Ｖ）によれば、車軸（５、５０、６Ｂ）の後方に電磁式リターダ（１０）を設置することにより、当該車軸（５、５０、６Ｂ）が電磁式リターダ（１０）の前方側を覆うので、トレーラ（１）においては、トラクタ（Ｔ）の後車輪（８Ｔ）による石撥ねの直撃を、単車（例えばトラクタＴ）においては自車の前車輪（７０）による石撥ねの直撃を、又は、単車（通常のトラックＶ）においては自車の後前輪（８Ｆ）による石撥ねの直撃を受けることは無い。
【００１４】
従って、石撥ね被害防止用のカバーの設置も不要となる。
【００１５】
通常の車両を含めた、エンジンを有する車両（例えばトラクタＴ）の駆動軸（インラインタンデムアクスル５０）の差動装置（ディファレンシャルギア７）の後方に直接電磁式リターダ（１０）を装着することが出来るので、新たなユニットの開発は不要である。
【００１６】
単車（通常の１軸駆動の３軸トラックＶ）の被駆動軸（６Ｂ）に、例えば、駆動軸（５Ｂ）と同様の車軸を用い、その車軸の差動装置（７）に直接電磁式リターダ（１０）を装着することが出来るので、新たなユニットの開発は不要である。
【００１７】
回転伝達手段としてディファレンシャルギア（７）を用いるので、従来の車軸の構成部品が使用可能である。
【発明を実施するための最良の形態】
【００１８】
以下、添付図面を参照して、本発明の実施形態について説明する。
【００１９】
先ず、図１及び図２を参照して第１実施形態を説明する。
【００２０】
図１において、トラクタＴのカプラＣには当該車両である電磁式リターダ１０を搭載したトレーラ１の図示しない連結手段が係合されている。
【００２１】
トレーラ１は、トレーラフレーム２の上面に、例えば大型のバン３が架装され、トレーラフレーム２の進行方向に向って両側面には、歩行者及び自転車の巻き込みを防止するためのサイドガード４が設けられている。
【００２２】
また、前記トレーラフレーム２の後方には、図示しない懸架装置によって２本の車軸５、６が揺動自在にトレーラフレーム２に支持されている。前記電磁式リターダ１０は、以下に詳述する方法で前記２本の車軸５、６の内、前方側の車軸５に設置される。但し、トレーラの形態によっては車軸６の無いものや、車軸６の後方に更に１軸分追加されるものもある。かつ、電磁式リターダ１０の搭載車軸は車軸５に固定されるものでなく、車軸６または新たに追加される車軸でもかまわない。
【００２３】
図２に示すように、トレーラ１の前方側の車軸５は、図示の例では、大型トラックの駆動軸を、内部にディファレンシャルギア７を有したまま用いている。
【００２４】
そのディファレンシャルギア７は、省略して描いてはいるが、原理としては最小単位として端部に車輪８を固着させたアクスルシャフト７ａと係合するリングギア７ｒと、リングギア７ｒに噛み合いリングギア７ｒ及びアクスルシャフト７ａと直交する方向に回転力を変換するドライブピニオン７ｐとから構成される。
【００２５】
一方、車軸５を構成するアクスルハウジング５ｈには車軸５の後方に延在するように１対の支持部材９、９が公知の手段によって取付けられている。
【００２６】
前記１対の支持部材９、９はステータ１１とロータ１２より構成される電磁式リターダ１０を１対のブラケット１９で挟持するように支持している。
【００２７】
前記車軸のディファレンシャルギア７のドライブピニオン７ｐにはドライブシャフト２０が固着されており、そのドライブシャフト２０は前記電磁式リターダ１０のロータ１２に接続されている。
【００２８】
再び図１を参照して、当該トレーラ１は、バッテリ３０と、コントロールユニット４０とを搭載している。
バッテリ３０はラインＬ１によってコントロールユニット４０内の図示しないリレーに接続され、そのコントロールユニット４０内の図示しないリレーは、ラインＬ２によって前記電磁式リターダ１０の図示しない励磁コイルに接続されている。
【００２９】
前記コントロールユニット４０はトラクタＴ側の運転席に設けたハンドコントローラ５０とラインＬ３によって接続され、ハンドコントローラ５０をドライバが操作することによってリレーの断続を行うように構成されている。
【００３０】
即ち、例えば、長い坂道、或いは急な坂道において当該トレーラ１を牽引したトラクタＴを、図示しないドライバが運転して下る際に、ドライバがハンドコントローラ５０を操作することによってリレーは接続状態となる。
リレーが接続状態となれば、バッテリ３０から所定の電圧が付加され、電磁式リターダ１０の図示しない励磁コイルに通電される。
【００３１】
一方、車輪８の回転はアクスルシャフト７ａ、ディファレンシャルギア７のリングギア７ｒ、ピニオン７ｐ、ドライブシャフト２０を経由して、前記励磁コイルに通電された状態の電磁式リターダ１０のロータ１２を回転させる。その際に電磁式リターダ１０は渦電流を発生させ、その渦電流による電磁力は電磁式リターダ１０のロータ１２の回転を阻止するように作用するために、ロータ１２に間接的に接続されたトレーラ１の車輪８に制動力が働く。
【００３２】
上述したように図１及び図２の第１実施形態では、車軸５の後方に電磁式リターダ１０を設置することにより、当該車軸５が電磁式リターダ１０の前方側を覆うので、トラクタＴの後車輪８Ｔによる石撥ねの直撃を受けることは無い。
【００３３】
従って、石撥ね被害防止用のカバーの設置も不要となる。
【００３４】
次に図３を利用して、第２実施形態を説明する。
図３の第２実施形態は、トラクタＴの後軸５０に電磁式リターダ１０を接続する実施形態である。
【００３５】
トラクタの後軸としては、図示の例では、後輪２軸駆動の３軸トラックで用いられるインラインタンデムアクスル５０を電磁式リターダ１０と直接接続して用いている。
即ち、本来の３軸トラックでは、インラインタンデムアクスル５０は、トランスミッション６０からプロペラシャフト６２を介して与えられた回転駆動力の半分を自己の車軸５０で消費するとともに、残りの半分を当該車軸５０が有するスルーシャフト５４によって図示しない最後軸側に分配する方式の車軸である。
【００３６】
本実施形態では、図４に詳細を示すように、そのスルーシャフト５４を電磁式リターダ１０のロータ１２と接続している。リターダ１０の支持は、当該車軸５０のハウジング５０ｈに固着した支持部材９０でリターダ１０のステータ１１の側部を挟持するように支持している。
【００３７】
そのように構成された第２実施形態に拠れば、電磁式リターダが後軸の後方に取付けられているので、前車輪７０による石撥ねの直撃を後軸５０によってブロック出来る。
【００３８】
次に図５を参照して第３実施形態を説明する。図５の第３実施形態は、後輪２軸を有する３軸車Ｖの後輪２軸の内、前側の１軸５Ｂのみが駆動軸の場合であり、後側の最後軸（被駆動軸）６Ｂに電磁式リターダ１０を取付けた実施形態である。
【００３９】
最後軸（被駆動軸）６Ｂに電磁式リターダ１０を取付ける要領は、前述の第１実施形態と同様であり、構成に関わる以降の詳細な説明は省略する。
【００４０】
そのように構成された第３実施形態に拠れば、電磁式リターダが最後軸（被駆動軸）６Ｂの後方に取付けられているので、前側の軸（後前軸）５Ｂ側の車輪８Ｆによる石撥ねの直撃を最後軸（被駆動軸）６Ｂによってブロック出来る。
【００４１】
図示の実施形態はあくまでも例示であり、本発明の技術的範囲を限定するものではなく、例えば、第２実施形態は、トラクタに実施した例を示しているが、通常の２軸トラックに用いることも可能である。
【００４２】
また、第３実施形態では３軸トラックの最後軸（被駆動軸）６Ｂに電磁式リターダ１０を取付けているが、第２実施形態同様、前側の１軸をインラインタンデムアクスルとし、そのインラインタンデムアクスルに電磁式リターダ１０を直接接続して用いても良い。
【図面の簡単な説明】
【００４３】
【図１】本発明の第１実施形態の概略構成を示した側面図。
【図２】図１のＹ矢視図で、要部の構成を更に詳細に示した平面図。
【図３】本発明の第２実施形態の概略構成を示す側面図。
【図４】本発明の第２実施形態の要部の構成を更に詳細に示した側面図。
【図５】本発明の第３実施形態の概略構成を示す側面図。
【図６】従来技術におけるトラクタでの電磁式リターダの搭載位置を示した車両の側面図。
【図７】従来技術におけるトレーラでの電磁式リターダの搭載位置を示した車両の側面図。
【符号の説明】
【００４４】
１・・・トレーラ
２・・・トレーラフレーム
３・・・大型バン
５、６・・・車軸
７・・・ディファレンシャルギア
８・・・車輪  
９・・・支持部材  
１０・・・電磁式リターダ
１１・・・ステータ
１２・・・ロータ
３０・・・バッテリ
４０・・・コントロールユニット
【図１】
0004605577.tif 000002
【図２】
0004605577.tif 000003
【図３】
0004605577.tif 000004
【図４】
0004605577.tif 000005
【図５】
0004605577.tif 000006
【図６】
0004605577.tif 000007
【図７】
0004605577.tif 000008